(57)【要約】【課題】  二酸化チタン等に紫外線（光）を照射すると、光触媒反応により大気中や水中の有機物を酸化分解することがあるのを利用して、車載型の空気清浄装置によって、汚染された空気の浄化、抗菌、殺菌、防臭等の効果を得ようとするものである。【解決手段】    装置本体1の室内にファン10により吸入又は圧入される汚染空気の取入口2と、光源5と、光触媒フィルター6と、反射板7と、活性炭フィルター8と、清浄空気の排出口9とを構成するものにおいて、前記光触媒フィルター6が、通路13の内部側壁面に形成され前記光源5から照射される光束を並行光として受ける触媒面14と、前記通路13に関して交叉する方向に光源6の光束を透過、乱反射させる形状の多数の素材16と、これら素材16を前記光束の照射方向に対して交叉させる方向に配置した多数の部材15と、を備える。【選択図】        図1
2005178644.tif 000002
【特許請求の範囲】
【請求項１】
装置本体の室内にファンにより吸入又は圧入される汚染空気の取入口と、光源と、光触媒フィルターと、反射板と、活性炭フィルターと、清浄空気の排出口とを構成してなる、車載型空気清浄装置。
【請求項２】
請求項1に記載の前記装置本体の室内に仕切板を設け、この仕切板によって形成された室にマイナスイオン発生器を構成してなる、車載型空気清浄装置。
【請求項３】
請求項1に記載の光触媒フィルターが、汚染空気を吸引又は圧入される取入口と、通路と、この通路の内部側壁面に形成した触媒面と、光束をこの触媒面に対して並行光として照射する光源と、前記光束を透過、乱反射させる形状の多数の素材と、これら素材を前記光束の照射方向に対して交叉させる方向に配置した部材と、前記通路内に形成される反射板とを備えてなる、車載型空気清浄装置。。
【請求項４】
請求項3に記載の触媒面が、二酸化チタンの塗布又はコーテイングによって形成される、
車載型空気清浄装置。
【請求項５】
請求項3に記載の光源が、蛍光灯、ブラックライト、光化学ランプ。冷陰極蛍光ランプによって構成される、車載型空気清浄装置。
【請求項６】
請求項3に記載の素材が、ガラス、アクリル樹脂、ABS、塩化ビニールのような透過反射材で断面形状が多面体、多角形からなる、車載型空気清浄装置。
【請求項７】
請求項3に記載の素材に対し、交叉する方向でかつ光束に並行な方向に上下面に沿って配置し光束の通過を許容する隙間を形成する部材を有する、車載型空気清浄装置。
【請求項８】
請求項7に記載の部材が、触媒によって酸化分解されないアルミニウムからなる、車載型空気清浄装置。
【請求項９】
請求項3に記載の空気清浄装置を複数段階に一体的に構成してなる、車載型空気清浄装置。
【発明の詳細な説明】
【技術分野】
【０００１】
本発明は、二酸化チタン等に紫外線（光）を照射すると、光触媒反応により大気中や水中の有機物を酸化分解することがあるのを利用して、車載型の空気清浄装置において、空気の浄化、防汚（セルフクリーニング）、防曇（超親水性）、抗菌、殺菌、防臭等の効果を得ようとするものである。
【背景技術】
【０００２】
図12に示した構成は、従来例において、二酸化チタンを塗布又はコーテイングした面（接触面）12に太陽光を直接照射するか蛍光灯等で紫外線等を発生する光源5を直接照射する方法を示し、汚染物質を触媒面に沿って並行に移動接触させるものである。
【０００３】
図13に示した構成は、従来例において、二酸化チタン等を塗布又はコーテイングした面（触媒面）12を内側にした円筒形の内側に蛍光灯等で紫外線等を発生する光源5を直接照射する方法で、汚染物質は触媒面12に沿って並行に移動接触させるものである。
【０００４】
図14は従来例において、両面に二酸化チタン等を塗布又はコーテイングした素材（触媒面）12を複数配置して、その中間に蛍光灯等で紫外線等を発生する光源5を設置し、両面に直接照射する方法である。、
【特許文献１】特開２００２−２５３６６２
【発明の開示】
【発明が解決しようとする課題】
【０００５】
二酸化チタンを塗布又はコーテイングした材料（触媒材）は高価であり、太陽光を利用する場合は別として、夜間及び太陽光の当たらない場所で、触媒材に光触媒反応に必要な波長の紫外線を照射しようとすれば、紫外線を発生する光源が多数必要になる。当然価格も高価になり、これらの材料を使用して製作する製品は高価なものになってしまう。また光源のためのスペースがより広く必要になり、光源のための電力も大量に必要になる。したがって触媒である二酸化チタンに少数の光源と少量の電力で効率的に紫外線を照射する構造が必要になる。
【課題を解決するための手段】
【０００６】
紫外線を発生する光源は高価なため、使用個数を少なくし光源からの紫外線を内部機構により並行光にしてより遠距離まで透過させ、なおかつ屈折反射させて触媒面に効率的に紫外線を照射する構造の車載型空気清浄置を提案しようとするものおである。。
【発明の効果】
【０００７】
本発明によれば、比較的高価な紫外線を発生する光源の使用個数を少なくし、また光源からの紫外線を並行光にして、より遠距離まで透過させ、しかも紫外線光軸を屈曲反射させて効率的に触媒面に紫外線を照射させることを可能とするものであって、車載型空気清浄装置として、好適な作用を発揮するものである。
【発明を実施するための最良の形態】
【０００８】
図1の（ａ）、（ｂ）及び（ｃ）において、（ａ）は本発明の車載型空気清浄装置の全体の配置図であり、（ｂ）は（ａ）の取入口部分の端面図、（ｃ）は（ａ）の排出口部分の端面図である。装置本体1の室内には取入口2の内側にプレフィルター3が形成され、以後、室内は仕切板4によってに分割され、一方の室には光源5と、光触媒フィルター6と，反射板7と、活性炭フィルター8と、排出口９側のファン10が順次配設されると共に、他方の室にはマイナスイオン発生器11と、排出口9側のファン12が形成される。ファン10により取入口2から吸入された汚染空気の汚染物質はプレフィルター3によって空気中に浮遊する比較的大きなゴミが集塵され、紫外線を発生する光源5により照射され、その構成を後述する光触媒フィルター6で有害ガス、細菌が分離され、活性炭フィルター8で消臭脱臭されファン12により排出口9から排出される。この際、光触媒フィルター６の後位に配設された反射板7によって後述する光源5からの光束が反射される。活性炭フィルター８をプレフィルター３と光触媒フィルター６の中間に設置する場合もありうる。
【０００９】
前記ファン10及びファン12は吸入作用による場合を示したが、実用上圧入により構成することも可能である。また、光源5としては、蛍光灯、ブラックライト、光化学ランプ、冷陰極蛍光ランプなどによって構成されるものとする。
【００１０】
図2は本発明の車載型の空気清浄装置の電子回路の概要図であり、その電子制御部では、次のような制御を行うものである。すなわち,紫外線光源用インバーター基盤制御、マイナスイオン発生器制御、第1のファン制御、第2のファン制御、低電圧遮断制御（11．5V）、低電圧遮断制御（10．5V）である。
【００１１】
図3は前述の光触媒フィルター6の基本構造であって、通路13の内側壁に、二酸化チタンを塗布又はコーテイングした触媒面14が内側になるように配置する。通路13内には光源5からの光束の通過を許容する隙間を形成する部材15を配設し、アルミニュウムなどの触媒によって酸化分解されない材料からなるこれら部材15で挟み込まれるように、これら部材15に対して交叉する方向に光源5からの光束を透過、乱反射する形状の多数の素材16を設置する。
【００１２】
これら素材16はガラス、アクリル樹脂、ABS、塩化ビニールのような透過反射材で断面形状が多面体からなり、前記触媒面14に対し並行光として紫外線を発生させた光源5から照射される紫外線の一部17は、透過、乱反射する形状の前記素材16の垂直面18を透過して末端部18に到達する。紫外線の一部17の到達した紫外線の末端部18は、反射板7により反射され、再度触媒材の中間を透過する。紫外線の一部18を透過、反射された紫外線19は、透過、乱反射する形状の素材16の内部20によって屈折され、触媒面14を照射すると共に触媒面14により反射され、これらの作用は繰り返し行なわれる。
【００１３】
また光源5から照射される紫外線の一部21は、透過、乱反射する形状の素材16の外側斜面22によって乱反射され、触媒面14を照射するともに触媒面14により反射される。以上のように紫外線光軸を反射、屈折させることにより、紫外線は効率よく触媒面14を照射することになる。
【００１４】
図4は図3の俯瞰透視図であり、図5は図3の構造の光触媒フィルター6を複数個積層するものであって、複数個で構成される図4の光触媒フィルター６に対して紫外線を発生する光源5の配置方法は、以下、図6から図11まで共通である。
【００１５】
図6とこの図6の俯瞰透視図である図7において、光触媒フィルター６の外側に紫外線を発生する光源5を配置し、凹面の反射鏡23を光源5の外側に設置し、反対側に反射板7を設置することによって光源5から照射される紫外線を透過、乱反射する形状の素材16の作用によって、紫外線の光束を反射、屈折させることで紫外線は効率よく触媒面14を照射する。
【００１６】
図8とこの図8の俯瞰透視図である図9において、光触媒フィルター６の両側に紫外線を発生する光源5を配置し、凹面の反射鏡23を光源5の両外側に設置することにより、光源5から照射される紫外線を透過、乱反射する形状の素材16の作用で、紫外線の光束を反射、屈折させることになり紫外線は効率よく触媒面14を照射する。
【００１７】
図10とこの図10の俯瞰透視図である図11において、光触媒フィルター6を両側に配置し中心部に紫外線を発生する光源5を配置して、光触媒フィルター6の両外側に反射板7を設置するものである。これにより、光源5から照射される紫外線を透過、乱反射する形状の素材16の作用で紫外線光軸を反射、屈折させるので、紫外線は効率よく触媒面14を照射する。
【００１８】
上述の構成において、防汚（セルフクリーニング）のためには、光源5、素材16、部材15の表面にも二酸化チタンの塗布又はコーテイングを形成することが望ましい。
【図面の簡単な説明】
【００１９】
【図１】本発明の車載型空気清浄装置の全体構成中、（a）は装置全体の配置図、（ｂ）は（ａ）の取入口部分の端面図、(ｃ）は（a）の排出口部分の端面図である。
【図２】本発明の空気清浄装置の電子回路の概要図である。
【図３】光触媒フィルターの基本構造を示す図である。
【図４】図3の俯瞰透視図である。
【図５】光触媒フィルターを複数個積層した図である。
【図６】光触媒フィルターの外側に紫外線を発生する光源を配置し、凹面の反射鏡を光源の外側に反射板を設置した図である。
【図７】図6の俯瞰透視図である。
【図８】光触媒フィルターの両側に紫外線を発生する光源を配置し、凹面の反射鏡を光源の両外側に設置した図である。
【図９】図8の俯瞰透視図である。
【図１０】光触媒フィルターを両側に配置し中心部に紫外線を発生する光源を配置し、光触媒フィルターの両外側に反射板を設置した図である。
【図１１】図10の俯瞰透視図である。
【図１２】従来例において、二酸化チタンを塗布又はコーテイング面（触媒面）に太陽光等を直接照射する状況を示す図である。
【図１３】従来例において、二酸化チタンを塗布又はコーテイング面（触媒面）を内側にした円筒形の内側に紫外線を発生させる光源を直接照射する方法を示す図である。
【図１４】従来例において、両面に二酸化チタン等を塗布又はコーテイングした素材（触媒面）を複数配置して、その中間に蛍光灯等で紫外線を発生する方法を示す」図である。
【符号の説明】
【００２０】
１    装置本体
２    取入口
３    プレフィルター
４    仕切板
５    光源
６    光触媒フィルター
７    反射板
８    活性炭フィルター
９    排出口
１０  ファン
１１  マイナスイオン発生器
１２  ファン
１３  通路
１４  触媒面
１５  部材
１６  素材
１７  紫外線の一部
１８  垂直面
１９  末端部
２０  内部
２１  紫外線の一部
２２  外側斜面
２３  凹面の反射鏡
【図１】
2005178644.tif 000003
【図２】
2005178644.tif 000004
【図３】
2005178644.tif 000005
【図４】
2005178644.tif 000006
【図５】
2005178644.tif 000007
【図６】
2005178644.tif 000008
【図７】
2005178644.tif 000009
【図８】
2005178644.tif 000010
【図９】
2005178644.tif 000011
【図１０】
2005178644.tif 000012
【図１１】
2005178644.tif 000013
【図１２】
2005178644.tif 000014
【図１３】
2005178644.tif 000015
【図１４】
2005178644.tif 000016